(57)【要約】【課題】基地局がセルタイプ情報を保持することにより、セルタイプ情報の活用を図る。【解決手段】マクロセル基地局ｅＮＢ＿ｍがＡＮＲ機能を実行し（ステップＳ１１）、端末ＵＥに対して近隣セルの測定を要求する（ステップＳ１２）。端末ＵＥが、マクロセル基地局ｅＮＢ＿ｍからの要求に応じて、近隣セルの測定を行う（ステップＳ１３）。端末ＵＥが、マクロセル基地局ｅＮＢ＿ｍに対して、近隣セルの測定結果（各セルのセルタイプ情報を含む）を送信する（ステップＳ１４）。マクロセル基地局ｅＮＢ＿ｍが、端末ＵＥから受信した近隣セルの測定結果に含まれる各セルのセルタイプ情報を、自己のＮＲＴに記録する（ステップＳ１５）。【選択図】図５
2015173319.tif 000002
【特許請求の範囲】
【請求項１】
他の無線基地局装置のセルのセルタイプ情報を保持することを特徴とする無線基地局装置。
【請求項２】
前記セルタイプ情報を格納する近隣関係テーブルを備えたことを特徴とする請求項１に記載の無線基地局装置。
【請求項３】
ＡＮＲ機能により前記セルタイプ情報を前記近隣関係テーブルに記録することを特徴とする請求項２に記載の無線基地局装置。
【請求項４】
接続されている無線端末装置から通知される情報により前記セルタイプ情報を前記近隣関係テーブルに記録することを特徴とする請求項２に記載の無線基地局装置。
【請求項５】
前記無線端末装置から通知される移動履歴情報により前記セルタイプ情報を前記近隣関係テーブルに記録することを特徴とする請求項４に記載の無線基地局装置。
【請求項６】
無線基地局装置が、無線端末装置から、他の無線基地局装置のセルのセルタイプ情報を受信するステップと、
前記無線基地局装置が、該受信したセルタイプ情報を保持するステップと、
を含むことを特徴とするセルタイプ情報取得方法。
【請求項７】
無線基地局装置のコンピュータに、
無線端末装置から、他の無線基地局装置のセルのセルタイプ情報を受信するステップと、
該受信したセルタイプ情報を保持するステップと、
を実行させるためのコンピュータプログラム。
【発明の詳細な説明】
【技術分野】
【０００１】
本発明は、無線基地局装置、セルタイプ情報取得方法およびコンピュータプログラムに関する。
【背景技術】
【０００２】
近年、ＨｅｔＮｅｔ（Heterogeneous Network）と呼ばれる無線通信ネットワークが知られている。ＨｅｔＮｅｔでは、セルサイズなどが異なる複数のセルが、部分的に又は全部が重複して配置される。３ＧＰＰ（3rd Generation Partnership Project）で標準化作業が進められているＬＴＥ（Long Term Evolution）と呼ばれる無線通信システム（ＬＴＥシステム）では（例えば、非特許文献１，２参照）、ＨｅｔＮｅｔにおいて、異なるタイプの複数のセルを、高い通信速度の通信サービスやトラフィックの負荷分散（トラフィック・オフロード（traffic offloading））などに利用することが検討されている。
【０００３】
また、ＬＴＥシステムでは、ターゲット・セル（Target Cell）のセルタイプ、又は、サービング・セル（Serving Cell）とターゲット・セルのセルタイプに応じて、ハンドオーバ（hand over）・パラメータをスケーリング（Scaling）する技術について検討されている（例えば、非特許文献３，４，５参照）。また、無線リンク障害（Radio Link Failure：RLF）からの回復のために準備される再確立（re-establishment）ターゲット・セルについて検討されている（例えば、非特許文献６参照）。
【先行技術文献】
【非特許文献】
【０００４】
【非特許文献１】3GPP、TS 36.300、“Evolved Universal Terrestrial Radio Access (E-UTRA) and Evolved Universal Terrestrial Radio Access Network (E-UTRAN); Overall description; Stage 2”
【非特許文献２】3GPP TS 32.511、“Telecommunication management; Automatic Neighbour Relation (ANR) management;  Concepts and requirements”
【非特許文献３】3GPP TSG-RAN WG2 Meeting  R2-133584、“UE based solutions for mobility robustness”
【非特許文献４】3GPP TSG RAN WG2 Meeting #84  R2-134300、“Further study on HO parameters scaling based on cell type”、Intel Corporation
【非特許文献５】3GPP TSG RAN WG2 Meeting #84  R2-134098、“Way forward for Hetnet mobility robustness enhancements”、NSN, Nokia
【非特許文献６】3GPP TSG RAN WG2 Meeting #84  R2-133435、“Solutions to improve RLF recovery in HetNet deployment”、Huawei
【発明の概要】
【発明が解決しようとする課題】
【０００５】
しかしながら、従来の基地局（E-UTRAN NodeB：eNB）には、セルの類型（タイプ（type））を示す情報であるセルタイプ情報を保持する機能がない。このため、基地局は、自己の近くに在るセルのセルタイプを端末（user equipment：UE）へ通知することができない。これにより、上述したハンドオーバ・パラメータのスケーリングや再確立ターゲット・セルの準備などにおいて、セルタイプを利用できない、という課題がある。
【０００６】
本発明は、このような事情を考慮してなされたものであり、基地局がセルタイプ情報を保持することにより、セルタイプ情報の活用を図ることができる、無線基地局装置、セルタイプ情報取得方法およびコンピュータプログラムを提供することを課題とする。
【課題を解決するための手段】
【０００７】
（１）本発明に係る無線基地局装置は、他の無線基地局装置のセルのセルタイプ情報を保持することを特徴とする。
（２）本発明に係る無線基地局装置は、上記（１）の無線基地局装置において、前記セルタイプ情報を格納する近隣関係テーブルを備えたことを特徴とする。
（３）本発明に係る無線基地局装置は、上記（２）の無線基地局装置において、ＡＮＲ機能により前記セルタイプ情報を前記近隣関係テーブルに記録することを特徴とする。
（４）本発明に係る無線基地局装置は、上記（２）の無線基地局装置において、接続されている無線端末装置から通知される情報により前記セルタイプ情報を前記近隣関係テーブルに記録することを特徴とする。
（５）本発明に係る無線基地局装置は、上記（４）の無線基地局装置において、前記無線端末装置から通知される移動履歴情報により前記セルタイプ情報を前記近隣関係テーブルに記録することを特徴とする。
【０００８】
（６）本発明に係るセルタイプ情報取得方法は、無線基地局装置が、無線端末装置から、他の無線基地局装置のセルのセルタイプ情報を受信するステップと、前記無線基地局装置が、該受信したセルタイプ情報を保持するステップと、を含むことを特徴とする。
【０００９】
（７）本発明に係るコンピュータプログラムは、無線基地局装置のコンピュータに、無線端末装置から、他の無線基地局装置のセルのセルタイプ情報を受信するステップと、該受信したセルタイプ情報を保持するステップと、を実行させるためのコンピュータプログラムであることを特徴とする。
【発明の効果】
【００１０】
本発明によれば、基地局がセルタイプ情報を保持することにより、セルタイプ情報の活用を図ることができるという効果が得られる。
【図面の簡単な説明】
【００１１】
【図１】本発明の一実施形態に係るＨｅｔＮｅｔの構成例を示す概念図である。
【図２】本発明の一実施形態に係る端末ＵＥの構成例を示すブロック図である。
【図３】本発明の一実施形態に係る基地局ｅＮＢの構成例を示すブロック図である。
【図４】本発明の一実施形態に係るＮＲＴの構成例を示す図表である。
【図５】本発明の実施例１に係るセルタイプ情報取得方法の手順を示すシーケンスチャートである。
【図６】本発明の実施例２に係るセルタイプ情報取得方法の手順を示すシーケンスチャートである。
【図７】本発明の実施例４に係るハンドオーバ方法の手順を示すシーケンスチャートである。
【図８】本発明の実施例５に係る無線リンク障害回復方法の手順を示すシーケンスチャートである。
【図９】本発明の一実施形態に係るセルタイプ情報の構成例を示す図表である。
【図１０】本発明の一実施形態に係るセルタイプ情報の構成例を示す図表である。
【発明を実施するための形態】
【００１２】
以下、図面を参照し、本発明の一実施形態について説明する。本実施形態では、無線通信システムの一例として、ＬＴＥシステムを挙げて説明する。
【００１３】
図１は、本発明の一実施形態に係るＨｅｔＮｅｔの構成例を示す概念図である。図１において、マクロセル基地局ｅＮＢ＿ｍ１，ｅＮＢ＿ｍ２は、それぞれマクロセル（Macro cell）Ｃ＿ｍ１，Ｃ＿ｍ２を提供する。スモールセル基地局ｅＮＢ＿ｓ１，ｅＮＢ＿ｓ２，ｅＮＢ＿ｓ３，ｅＮＢ＿ｓ４，ｅＮＢ＿ｓ５，ｅＮＢ＿ｓ６，ｅＮＢ＿ｓ７は、それぞれスモールセル（Small cell）Ｃ＿ｓ１，Ｃ＿ｓ２，Ｃ＿ｓ３，Ｃ＿ｓ４，Ｃ＿ｓ５，Ｃ＿ｓ６，Ｃ＿ｓ７を提供する。マクロセルＣ＿ｍ１，Ｃ＿ｍ２は、スモールセルＣ＿ｓ１，Ｃ＿ｓ２，Ｃ＿ｓ３，Ｃ＿ｓ４，Ｃ＿ｓ５，Ｃ＿ｓ６，Ｃ＿ｓ７よりも、カバレッジ（coverage）が広い。マクロセルＣ＿ｍ１とＣ＿ｍ２は、部分的に重複して配置されている。スモールセルＣ＿ｓ１，Ｃ＿ｓ２，Ｃ＿ｓ３，Ｃ＿ｓ４は、マクロセルＣ＿ｍ１に対して重複して配置されている。スモールセルＣ＿ｓ４，Ｃ＿ｓ５，Ｃ＿ｓ６，Ｃ＿ｓ７は、マクロセルＣ＿ｍ２に対して重複して配置されている。
【００１４】
以下、マクロセル基地局ｅＮＢ＿ｍ１，ｅＮＢ＿ｍ２を特に区別しないときは「マクロセル基地局ｅＮＢ＿ｍ」と称する。また、スモールセル基地局ｅＮＢ＿ｓ１，ｅＮＢ＿ｓ２，ｅＮＢ＿ｓ３，ｅＮＢ＿ｓ４，ｅＮＢ＿ｓ５，ｅＮＢ＿ｓ６，ｅＮＢ＿ｓ７を特に区別しないときは「スモールセル基地局ｅＮＢ＿ｓ」と称する。また、マクロセル基地局ｅＮＢ＿ｍとスモールセル基地局ｅＮＢ＿ｓを特に区別しないときは「基地局ｅＮＢ」と称する。
【００１５】
端末ＵＥは、マクロセル基地局ｅＮＢ＿ｍおよびスモールセル基地局ｅＮＢ＿ｓの両方に接続することができる。端末ＵＥは、図１中の矢印の方向に移動しながら、適宜、ハンドオーバにより接続先の基地局ｅＮＢを変更することができる。
【００１６】
図２は、本発明の一実施形態に係る端末（無線端末装置）ＵＥの構成例を示すブロック図である。図２において、端末ＵＥは、無線通信部１１、制御部１２、記憶部１３、入力部１４及び出力部１５を備える。無線通信部１１、制御部１２、記憶部１３、入力部１４及び出力部１５は相互にデータを送受できるように接続されている。無線通信部１１は、マクロセル基地局ｅＮＢ＿ｍ及びスモールセル基地局ｅＮＢ＿ｓに無線接続できる。無線通信部１１は、無線接続している基地局ｅＮＢを介して、他の装置と通信する。
【００１７】
制御部１２は端末ＵＥに係る動作の制御を行う。記憶部１３はデータを格納する。入力部１４はデータの入力を行う。出力部１５はデータの出力を行う。入力部１４として、例えば、キーボード、テンキー、マウス等の入力デバイス、音声を入力するマイクロホン、近距離無線通信の受信デバイスなどが挙げられる。出力部１５として、例えば、液晶表示装置等の表示デバイス、音声を出力するスピーカ、近距離無線通信の送信デバイスなどが挙げられる。また、入力デバイスと表示デバイスの両方の機能を有するタッチパネルを備えてもよい。端末ＵＥとして、例えば、スマートフォンやタブレット型のコンピュータ（タブレットＰＣ）等の携帯通信端末装置が挙げられる。
【００１８】
図３は、本発明の一実施形態に係る基地局（無線基地局装置）ｅＮＢの構成例を示すブロック図である。図３において、基地局ｅＮＢは、無線通信部２１、通信部２２、制御部２３及び記憶部２４を備える。無線通信部２１、通信部２２、制御部２３及び記憶部２４は相互にデータを送受できるように接続されている。無線通信部２１は端末ＵＥと無線通信する。通信部２２は、バックボーンネットワークを介して他の装置と通信する。制御部２３は基地局ｅＮＢに係る動作の制御を行う。記憶部２４はデータを格納する。
【００１９】
制御部２３は、ＡＮＲ（Automatic Neighbor Relation）機能部２３１を有する。ＡＮＲ機能部２３１は、自基地局ｅＮＢの近くに在るセルとの関係を自動的に取得するための処理を行う。なお、ＬＴＥシステムにおけるＡＮＲ機能（Automatic Neighbour Relation Function）は、例えば非特許文献１，２に開示されている。
【００２０】
記憶部２４は、近隣関係テーブル（Neighbor Relation Table：NRT）２４１を有する。ＮＲＴ＿２４１は、自基地局ｅＮＢの近くに在るセルとの関係を示す情報を格納する。なお、ＬＴＥシステムにおけるＮＲＴは、例えば非特許文献１に開示されている。
【００２１】
図４は、本実施形態に係るＮＲＴの構成例を示す図表である。本実施形態では、ＮＲＴ＿２４１に対して、従来のＬＴＥシステムにおけるＮＲＴには無かったセルタイプ情報を追加する。図４において、ＮＲＴ＿２４１は、近隣関係（Neighbor Relation：NR）毎に、ＴＣＩ（Target Cell Identifier）と削除禁止フラグ（No Remove）とハンドオーバ禁止フラグ（No HO）とＸ２回線無しフラグ（No X2）とセルタイプ情報（Cell Type）を格納する。図４中、○印は該当フラグの有りを示す。
【００２２】
ＴＣＩは「E-UTRAN Cell Global Identifier（ECGI）」と「Physical cell identifier（PCI）」とから構成される。削除禁止フラグは、当該近隣関係のエントリ（ＮＲＴ＿２４１に登録されている情報）の削除を禁止することを示す。ハンドオーバ禁止フラグは、当該近隣関係のセルへのハンドオーバを禁止することを示す。Ｘ２回線無しフラグは、当該近隣関係の基地局ｅＮＢとの間に、Ｘ２回線が確立されていないことを示す。Ｘ２回線は、ＬＴＥシステムにおいて基地局ｅＮＢ間を接続するための回線である。セルタイプ情報は、当該近隣関係のセルのセルタイプを示す。
【００２３】
図４の例では、識別子「１」で特定される近隣関係の情報として、ＴＣＩ「ＴＣＩ＃１」と削除禁止フラグ「無し」とハンドオーバ禁止フラグ「無し」とＸ２回線無しフラグ「無し」とセルタイプ情報「Ｔｙｐｅ＃１」とが、ＮＲＴ＿２４１に格納されている。また、識別子「２」で特定される近隣関係の情報として、ＴＣＩ「ＴＣＩ＃２」と削除禁止フラグ「有り」とハンドオーバ禁止フラグ「無し」とＸ２回線無しフラグ「有り」とセルタイプ情報「Ｔｙｐｅ＃２」とが、ＮＲＴ＿２４１に格納されている。また、識別子「３」で特定される近隣関係の情報として、ＴＣＩ「ＴＣＩ＃３」と削除禁止フラグ「有り」とハンドオーバ禁止フラグ「無し」とＸ２回線無しフラグ「無し」とセルタイプ情報「Ｔｙｐｅ＃３」とが、ＮＲＴ＿２４１に格納されている。
【００２４】
次に、本実施形態に係る実施例を説明する。
【実施例１】
【００２５】
実施例１では、基地局ｅＮＢがＡＮＲ機能によりＮＲＴ＿２４１にセルタイプ情報を記録する。図５は本発明の実施例１に係るセルタイプ情報取得方法の手順を示すシーケンスチャートである。図５を参照して実施例１に係る基地局ｅＮＢおよび端末ＵＥの動作を説明する。図５の例では、端末ＵＥはマクロセル基地局ｅＮＢ＿ｍに接続している。
【００２６】
（ステップＳ１１）  マクロセル基地局ｅＮＢ＿ｍのＡＮＲ機能部２３１がＡＮＲ機能を実行する。
【００２７】
（ステップＳ１２）  マクロセル基地局ｅＮＢ＿ｍのＡＮＲ機能部２３１が、端末ＵＥに対して、無線通信部２１により近隣セルの測定を要求する。
【００２８】
（ステップＳ１３）  端末ＵＥが、マクロセル基地局ｅＮＢ＿ｍからの要求に応じて、近隣セルの測定を行う。この近隣セルの測定では、マクロセル基地局ｅＮＢ＿ｍと同一周波数帯を使用する基地局ｅＮＢのセル（intra-frequency neighboring cell）、及び、マクロセル基地局ｅＮＢ＿ｍと異なる周波数帯を使用する基地局ｅＮＢのセル（inter-frequency neighboring cell）を測定対象にする。
【００２９】
（ステップＳ１４）  端末ＵＥが、マクロセル基地局ｅＮＢ＿ｍに対して、近隣セルの測定結果を送信する。この近隣セルの測定結果には、各セルが使用する周波数帯のリストと、各セルがサポートする機能のリストと、各セルのセルタイプ情報とが含まれる。
【００３０】
（ステップＳ１５）  マクロセル基地局ｅＮＢ＿ｍのＡＮＲ機能部２３１が、無線通信部２１により、端末ＵＥから近隣セルの測定結果を受信する。そして、ＡＮＲ機能部２３１が、該受信した近隣セルの測定結果に基づいて、自基地局のＮＲＴ＿２４１を更新する。このＮＲＴ＿２４１の更新では、近隣セルの測定結果に含まれる各セルのセルタイプ情報を、該当する近隣関係の情報として記録する。
【００３１】
なお、上述した実施例１では、マクロセル基地局ｅＮＢ＿ｍがＡＮＲ機能により自己のＮＲＴ＿２４１にセルタイプ情報を記録したが、同様に、スモールセル基地局ｅＮＢ＿ｓがＡＮＲ機能により自己のＮＲＴ＿２４１にセルタイプ情報を記録してもよい。
【実施例２】
【００３２】
実施例２では、基地局ｅＮＢが移動履歴情報（Mobility history information）によってセルタイプ情報をＮＲＴ＿２４１に記録する。図６は本発明の実施例２に係るセルタイプ情報取得方法の手順を示すシーケンスチャートである。図６を参照して実施例２に係る基地局ｅＮＢおよび端末ＵＥの動作を説明する。図６の例では、端末ＵＥはマクロセル基地局ｅＮＢ＿ｍに接続している。
【００３３】
（ステップＳ２１）  マクロセル基地局ｅＮＢ＿ｍの制御部２３が、端末ＵＥに対して、無線通信部２１により移動履歴情報を要求する。
【００３４】
（ステップＳ２２）  端末ＵＥが、マクロセル基地局ｅＮＢ＿ｍからの要求に応じて、移動履歴情報を応答する。この移動履歴情報には、当該端末ＵＥが過去に滞在したセルのセルタイプ情報が含まれる。
【００３５】
（ステップＳ２３）  マクロセル基地局ｅＮＢ＿ｍの制御部２３が、無線通信部２１により、端末ＵＥから移動履歴情報を受信する。そして、制御部２３が、該受信した移動履歴情報に基づいて、自基地局のＮＲＴ＿２４１を更新する。このＮＲＴ＿２４１の更新では、移動履歴情報に含まれる各セルのセルタイプ情報を、該当する近隣関係の情報として記録する。
【００３６】
なお、上述した実施例２では、マクロセル基地局ｅＮＢ＿ｍが端末ＵＥから受信した移動履歴情報により自己のＮＲＴ＿２４１にセルタイプ情報を記録したが、同様に、スモールセル基地局ｅＮＢ＿ｓが端末ＵＥから受信した移動履歴情報により自己のＮＲＴ＿２４１にセルタイプ情報を記録してもよい。
【実施例３】
【００３７】
実施例３では、ＬＴＥシステムの運用・保守機能（Ｏ＆Ｍ）によって、セルタイプ情報をＮＲＴ＿２４１に記録する。Ｏ＆Ｍは、基地局ｅＮＢに対して、ＮＲＴ更新情報を送信する。このＮＲＴ更新情報には、当該基地局ｅＮＢの近隣に在るセルのセルタイプ情報が含まれる。基地局ｅＮＢの制御部２３は、Ｏ＆Ｍから受信したＮＲＴ更新情報に基づいて、自基地局のＮＲＴ＿２４１を更新する。この更新では、ＮＲＴ更新情報に含まれる各セルのセルタイプ情報を、該当する近隣関係の情報として記録する。
【実施例４】
【００３８】
実施例４では、基地局ｅＮＢがＮＲＴ＿２４１に保持するセルタイプ情報を、ハンドオーバ・パラメータのスケーリングに利用する。図７は本発明の実施例４に係るハンドオーバ方法の手順を示すシーケンスチャートである。図７を参照して実施例４に係る基地局ｅＮＢおよび端末ＵＥの動作を説明する。図７の例では、端末ＵＥは、マクロセルＣｅｌｌ＃１（使用周波数帯ｆ１）のマクロセル基地局ｅＮＢ＿ｍ（以下、基地局ｅＮＢ＿ｍ（Ｃｅｌｌ＃１）と称する）に接続している。マクロセルＣｅｌｌ＃１内には、スモールセルＣｅｌｌ＃２（使用周波数帯ｆ２）及びスモールセルＣｅｌｌ＃３（使用周波数帯ｆ２）が配置されている。
【００３９】
基地局ｅＮＢ＿ｍ（Ｃｅｌｌ＃１）のＮＲＴ＿２４１には、スモールセルＣｅｌｌ＃２の情報としてセルタイプ情報「ｃｅｌｌ−ｔｙｐｅ＃２」等、スモールセルＣｅｌｌ＃３の情報としてセルタイプ情報「ｃｅｌｌ−ｔｙｐｅ＃３」等が格納されている。
【００４０】
（ステップＳ３１）  基地局ｅＮＢ＿ｍ（Ｃｅｌｌ＃１）は、端末ＵＥに対して、ターゲット・セルであるスモールセルＣｅｌｌ＃２の情報を送信する。このスモールセルＣｅｌｌ＃２の情報には、基地局ｅＮＢ＿ｍ（Ｃｅｌｌ＃１）のＮＲＴ＿２４１に格納されているスモールセルＣｅｌｌ＃２のセルタイプ情報「ｃｅｌｌ−ｔｙｐｅ＃２」が含まれる。
【００４１】
（ステップＳ３２）  端末ＵＥは、ターゲット・セルであるスモールセルＣｅｌｌ＃２に対して、ハンドオーバ・パラメータのスケーリングを行う。このハンドオーバ・パラメータのスケーリングでは、基地局ｅＮＢ＿ｍ（Ｃｅｌｌ＃１）から通知されたスモールセルＣｅｌｌ＃２のセルタイプ情報「ｃｅｌｌ−ｔｙｐｅ＃２」に基づいて、ハンドオーバ・パラメータを調整する。また、端末ＵＥは、スモールセルＣｅｌｌ＃２の測定を行う。
【００４２】
（ステップＳ３３）  端末ＵＥは、基地局ｅＮＢ＿ｍ（Ｃｅｌｌ＃１）に対して、スモールセルＣｅｌｌ＃２の測定結果を送信する。
【００４３】
（ステップＳ３４）  端末ＵＥは、ターゲット・セルであるスモールセルＣｅｌｌ＃２のスモールセル基地局ｅＮＢ＿ｓに対して、ハンドオーバの準備を通知する。
【００４４】
（ステップＳ３５）  基地局ｅＮＢ＿ｍ（Ｃｅｌｌ＃１）は、端末ＵＥに対して、ハンドオーバを指示する。
【００４５】
（ステップＳ３６）  端末ＵＥは、ターゲット・セルであるスモールセルＣｅｌｌ＃２に対するハンドオーバ実行イベントを発生する。
【００４６】
（ステップＳ３７）  端末ＵＥは、ターゲット・セルであるスモールセルＣｅｌｌ＃２へのハンドオーバを実行する。
【００４７】
なお、基地局ｅＮＢ＿ｍ（Ｃｅｌｌ＃１）が自己のマクロセルＣｅｌｌ＃１のセルタイプ情報を端末ＵＥへ送り、端末ＵＥがサービング・セルであるマクロセルＣｅｌｌ＃１のセルタイプ情報をハンドオーバ・パラメータのスケーリングに利用してもよい。これにより、端末ＵＥは、サービング・セルとターゲット・セルのセルタイプに応じて、ハンドオーバ・パラメータのスケーリングを行うことができる。
【００４８】
本実施例４では、基地局ｅＮＢがＮＲＴ＿２４１に保持するセルタイプ情報をハンドオーバ・パラメータのスケーリングに利用することにより、ハンドオーバの失敗を防ぎ、ハンドオーバを円滑に行うことができるという効果が得られる。
【実施例５】
【００４９】
実施例５では、基地局ｅＮＢがＮＲＴ＿２４１に保持するセルタイプ情報を、無線リンク障害（ＲＬＦ）からの回復のための再確立ターゲット・セルの準備に利用する。図８は本発明の実施例５に係る無線リンク障害回復方法の手順を示すシーケンスチャートである。図８を参照して実施例５に係る基地局ｅＮＢおよび端末ＵＥの動作を説明する。図８の例では、端末ＵＥは、マクロセルＣｅｌｌ＃１（使用周波数帯ｆ１）のマクロセル基地局ｅＮＢ＿ｍ（以下、基地局ｅＮＢ＿ｍ（Ｃｅｌｌ＃１）と称する）に接続している。マクロセルＣｅｌｌ＃１内には、スモールセルＣｅｌｌ＃２（使用周波数帯ｆ２）及びスモールセルＣｅｌｌ＃３（使用周波数帯ｆ２）が配置されている。
【００５０】
基地局ｅＮＢ＿ｍ（Ｃｅｌｌ＃１）のＮＲＴ＿２４１には、スモールセルＣｅｌｌ＃２の情報としてセルタイプ情報「ｃｅｌｌ−ｔｙｐｅ＃２」等、スモールセルＣｅｌｌ＃３の情報としてセルタイプ情報「ｃｅｌｌ−ｔｙｐｅ＃３」等が格納されている。
【００５１】
（ステップＳ４１）  基地局ｅＮＢ＿ｍ（Ｃｅｌｌ＃１）は、予め、自己のＮＲＴ＿２４１に格納されているスモールセルＣｅｌｌ＃２のセルタイプ情報「ｃｅｌｌ−ｔｙｐｅ＃２」およびスモールセルＣｅｌｌ＃３のセルタイプ情報「ｃｅｌｌ−ｔｙｐｅ＃３」に基づいて、再確立ターゲット・セルの準備を行う。そして、基地局ｅＮＢ＿ｍ（Ｃｅｌｌ＃１）は、事前に（ＲＬＦが発生する前に）、端末ＵＥに対して、再確立ターゲット・セルの情報を送信しておく。この再確立ターゲット・セルの情報には、該再確立ターゲット・セルのセルタイプ情報が含まれる。端末ＵＥは、該再確立ターゲット・セルの情報を保持する。
【００５２】
（ステップＳ４２）  基地局ｅＮＢ＿ｍ（Ｃｅｌｌ＃１）は、端末ＵＥのＲＬＦにより、当該端末ＵＥの状況を、ターゲット・セルであるスモールセルＣｅｌｌ＃２，Ｃｅｌｌ＃３の各スモールセル基地局ｅＮＢ＿ｓへ通知する。
【００５３】
（ステップＳ４３）  端末ＵＥは、事前に基地局ｅＮＢ＿ｍ（Ｃｅｌｌ＃１）から受信し保持している再確立ターゲット・セルの情報に含まれるセルタイプ情報に基づいて、ターゲット・セルを選択する。図８の例では、スモールセルＣｅｌｌ＃２，Ｃｅｌｌ＃３の中から、スモールセルＣｅｌｌ＃３がターゲット・セルに選択される。
【００５４】
（ステップＳ４４）  端末ＵＥは、ターゲット・セルに選択したスモールセルＣｅｌｌ＃３のスモールセル基地局ｅＮＢ＿ｓに対して、ＲＲＣ（Radio Resource Control）接続の再確立（RRC re-establishment）を行う。
【００５５】
本実施例５では、基地局ｅＮＢがＮＲＴ＿２４１に保持するセルタイプ情報をＲＬＦからの回復のための再確立ターゲット・セルの準備に利用することにより、ＲＬＦからの回復にかかる時間を短縮できるという効果が得られる。
【００５６】
次に、本実施形態に係るセルタイプ情報の例を説明する。セルタイプ情報は、セルに関連する情報として定義される。
【００５７】
［例１：セルのカバレッジ、又は、基地局の送信電力に基づくセルタイプ情報］
セルタイプ情報は、セルのカバレッジ、又は、基地局の送信電力に基づいて定義することができる。図９は、該セルタイプ情報の構成例を示す図表である。図９の例では、セルタイプとして、マクロセル、スモールセル、ピコセル（Pico cell）、フェムトセル（Femto cell）が定義される。各セルタイプにはセルタイプ識別子（セルタイプＩＤ）が割り当てられる。図９の例では、セルタイプ情報として、セルタイプＩＤ「０」，「１」，「２」，「３」を表すための２ビットで構成できる。
【００５８】
［例２：セルの役割、又は、セルの地理的な位置に基づくセルタイプ情報］
セルタイプ情報は、セルの役割、又は、セルの地理的な位置に基づいて定義することができる。図１０は、該セルタイプ情報の構成例を示す図表である。図１０の例では、セルタイプとして、トラフィック・オフロード、カバレッジ補完が定義される。トラフィック・オフロード用のセルとして、例えば、セルのカバレッジ内に配置されたセルが挙げられる。カバレッジ補完用のセルとして、例えば、セルのエッジ付近に配置されたセルが挙げられる。各セルタイプにはセルタイプＩＤが割り当てられる。図１０の例では、セルタイプ情報として、セルタイプＩＤ「０」，「１」を表すための１ビットで構成できる。
【００５９】
［例３：セルの在る場所に基づくセルタイプ情報］
セルタイプ情報は、セルの在る場所に基づいて定義することができる。例えば、建物の内部に在るセルと、建物の外部に在るセルとをそれぞれ別のセルタイプとして定義して区別することが挙げられる。
【００６０】
［例４：建物の内部に在るセルに対してセルの在る場所の高さに基づくセルタイプ情報］
セルタイプ情報は、建物の内部に在るセルに対してセルの在る場所の高さに基づいて定義することができる。例えば、同一建物内に在るセルに対して、高層階に在るセルと、低層階に在るセルとをそれぞれ別のセルタイプとして定義して区別することが挙げられる。
【００６１】
上述したセルタイプ情報の例は、それぞれ単独で使用されてもよく、又は、複数を組み合わせて使用されてもよい。例えば、上述した例１と例２のセルタイプ情報を組み合わせることが挙げられる。具体例として、
・トラフィック・オフロード且つスモールセル
・トラフィック・オフロード且つピコセル
・トラフィック・オフロード且つフェムトセル
・カバレッジ補完且つスモールセル
・カバレッジ補完且つピコセル
・カバレッジ補完且つフェムトセル
などのセルタイプ情報が挙げられる。
【００６２】
上述した実施形態によれば、以下に示す効果が得られる。
（１）基地局がセルタイプ情報を保持することにより、セルタイプ情報の活用を図ることができる。
（２）基地局が保持するセルタイプ情報に基づいて、端末の移動性の向上のために、より多くの情報を提供できる。これにより、例えば、ＲＲＣ接続状態（RRC_CONNECTED）におけるハンドオーバを円滑に行うことができる。また、ＲＲＣ接続状態における無線リンク障害（ＲＬＦ）からの回復を円滑に行うことができる。
（３）基地局は、自己で保持するセルタイプ情報を、ハンドオーバの失敗や無線リンク障害を低減させることに活用できる。
【００６３】
以上、本発明の実施形態について図面を参照して詳述してきたが、具体的な構成はこの実施形態に限られるものではなく、本発明の要旨を逸脱しない範囲の設計変更等も含まれる。
【００６４】
例えば、上述した実施形態では、無線通信システムの一例としてＬＴＥシステムを挙げたが、ＬＴＥシステム以外の他の無線通信システムにも同様に適用可能である。
【００６５】
また、上述した基地局ｅＮＢの機能を実現するためのコンピュータプログラムをコンピュータ読み取り可能な記録媒体に記録して、この記録媒体に記録されたプログラムをコンピュータシステムに読み込ませ、実行するようにしてもよい。なお、ここでいう「コンピュータシステム」とは、ＯＳや周辺機器等のハードウェアを含むものであってもよい。
また、「コンピュータ読み取り可能な記録媒体」とは、フレキシブルディスク、光磁気ディスク、ＲＯＭ、フラッシュメモリ等の書き込み可能な不揮発性メモリ、ＤＶＤ（Digital Versatile Disk）等の可搬媒体、コンピュータシステムに内蔵されるハードディスク等の記憶装置のことをいう。
【００６６】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００６７】
１１，２１…無線通信部、１２，２３…制御部、１３，２４…記憶部、１４…入力部、１５…出力部、２２…通信部、２３１…ＡＮＲ機能部、２４１…ＮＲＴ、ｅＮＢ…基地局（無線基地局装置）、ＵＥ…端末（無線端末装置）
【図１】
2015173319.tif 000003
【図２】
2015173319.tif 000004
【図３】
2015173319.tif 000005
【図４】
2015173319.tif 000006
【図５】
2015173319.tif 000007
【図６】
2015173319.tif 000008
【図７】
2015173319.tif 000009
【図８】
2015173319.tif 000010
【図９】
2015173319.tif 000011
【図１０】
2015173319.tif 000012